(57)【要約】      （修正有）【課題】使用者が自身の好みに応じて外観を容易に変更可能で、独自性を付与することが可能であり、なおかつ外観を変更するための種々の装飾体を容易に着脱可能なランドセルカバー及びランドセルを提供する。【解決手段】ランドセルカバー２０は、開口部３を有するランドセル本体２の上端部に接続された、開口部３を開閉するための被せ蓋７に取り付けられ、その一部を構成するランドセルカバー本体３０により被せ蓋７の外面Ｓ３を被覆する。ランドセルカバー本体３０には、厚さ方向に貫通するボタンホール８０が１又は複数形成されており、ボタンホール８０の内周壁８０ｘが弾性材料で構成される。ランドセルカバー本体３０の厚さ方向に延びる軸部と軸部の一端に固定された装飾部材とを含む装飾体が、ボタンホール８０を介して着脱自在であるように構成される。【選択図】図２
2014128375.tif 000002
【特許請求の範囲】
【請求項１】
開口部を有するランドセル本体の当該開口部を開閉するための被せ蓋に取り付けられ、その一部を構成するランドセルカバー本体により被せ蓋の外面の少なくとも一部を被覆するランドセルカバーであって、
ランドセルカバー本体に厚さ方向に貫通するカバー本体貫通孔を１又は複数形成するとともに、カバー本体貫通孔の少なくとも内周壁を弾性材料によって構成し、
ランドセルカバー本体の厚さ方向に延びる軸と当該軸の一端に固定された装飾部材とを含む装飾体を、当該カバー本体貫通孔を介して着脱自在としたことを特徴とするランドセルカバー。
【請求項２】
開口部を有するランドセル本体と、当該開口部を開閉するための被せ蓋とを有し、
被せ蓋に厚さ方向に貫通する被せ蓋貫通孔を１又は複数形成するとともに、当該被せ蓋貫通孔の少なくとも内周壁を弾性材料によって構成し、
被せ蓋の厚さ方向に延びる軸と当該軸の一端に固定された装飾部材とを含む装飾体を、当該被せ蓋貫通孔を介して着脱自在としたことを特徴とするランドセル。
【発明の詳細な説明】
【技術分野】
【０００１】
本発明は、使用者が装飾性を向上させる種々の装飾体を着脱自在とし、独自性を付与することが可能なランドセルカバー及びランドセルに関するものである。
【背景技術】
【０００２】
一般的なランドセルの被せ蓋に取り付けられるランドセルカバーは、汚れ、傷や雨水からランドセルを保護する機能を有するとともに、近年では、装飾性の面で使用者の要望に対応させるために、色や絵柄等でランドセルカバーのバリエーションの充実を図っている（特許文献１）。また、ランドセルの本体に関しては、被せ蓋にデザイン性のある刺繍を施したり、被せ蓋に使用するかぶせ鋲を星型やハート型等のデザイン性のあるものにすることで、装飾性の面で使用者の要望に対応している（非特許文献１）。
【先行技術文献】
【特許文献】
【０００３】
【特許文献１】登録実用新案第３１３６８２２号公報
【非特許文献】
【０００４】
【非特許文献１】イオン株式会社、”イオンのランドセル”、[online]、[平成２４年１２月１３日検索、インターネット＜URL:http://www.aeonshop.com/1nensei/＞
【発明の概要】
【発明が解決しようとする課題】
【０００５】
ところで、上記のようなランドセルカバーの絵柄等は、ランドセルカバー自体に印刷されていたり貼り付けられていたりするものであり、上記の被せ蓋に使用されるかぶせ鋲等は、ランドセル本体に固定されているものなので、使用者が自身で容易に変更できるものではない。そのため、上記のようなランドセルカバーやランドセルは、他人の所有しているものと同じデザインになることがあり、量産品としてのイメージが残るものであり、他人と違いのある自分だけの独自性を備えたランドセルを持ちたいという使用者の要望に対応可能なものとは言えない。
【０００６】
本発明は、上記のような課題を解消するランドセルを提供することを目的としており、具体的には、使用者が自身の好みに応じて外観を容易に変更可能で、独自性を付与することが可能であり、なおかつ外観を変更するための種々の装飾体を容易に着脱可能なランドセルカバー及びランドセルを提供することを目的とする。
【課題を解決するための手段】
【０００７】
本発明は、かかる目的を達成するために、次のような手段を講じたものである。
【０００８】
すなわち、本発明のランドセルカバーは、開口部を有するランドセル本体の当該開口部を開閉するための被せ蓋に取り付けられ、その一部を構成するランドセルカバー本体により被せ蓋の外面の少なくとも一部を被覆するランドセルカバーであって、ランドセルカバー本体に厚さ方向に貫通するカバー本体貫通孔を１又は複数形成するとともに、カバー本体貫通孔の少なくとも内周壁を弾性材料によって構成し、ランドセルカバー本体の厚さ方向に延びる軸と当該軸の一端に固定された装飾部材とを含む装飾体を、当該カバー本体貫通孔を介して着脱自在としたことを特徴とする。
【０００９】
このように構成すると、装飾体の軸をカバー本体貫通孔に挿入して装飾体をランドセルカバーに取り付け、そのランドセルカバーで被せ蓋を覆うことで、ランドセルの外観を容易に変更することができ、取り付ける装飾体のデザインや取り付ける位置を工夫することで、他人とは違いのある自分だけの独自性を備えたランドセルにすることができる。また、カバー本体貫通孔の少なくとも内周壁を弾性材料によって構成しておりカバー本体貫通孔が外方に向けて広がるので、装飾体の軸をカバー本体貫通孔に容易に挿入可能となる。またカバー本体貫通孔よりも径の大きい軸を含む装飾体をカバー本体貫通孔に挿入させることが可能となり、径の比較的小さい軸を備える装飾体はもとより、径の比較的大きい軸を備える装飾体もカバー本体貫通孔を介してランドセルカバーに取り付けることができる。
【００１０】
また本発明のランドセルは、開口部を有するランドセル本体と、当該開口部を開閉するための被せ蓋とを有し、被せ蓋に厚さ方向に貫通する被せ蓋貫通孔を１又は複数形成するとともに、当該被せ蓋貫通孔の少なくとも内周壁を弾性材料によって構成し、被せ蓋の厚さ方向に延びる軸と当該軸の一端に固定された装飾部材とを含む装飾体を、当該被せ蓋貫通孔を介して着脱自在としたことを特徴とする。
【００１１】
このように構成すると、装飾体の軸を被せ蓋貫通孔に挿入して装飾体を被せ蓋に取り付けることで、ランドセルの外観を容易に変更することができ、取り付ける装飾体のデザインや取り付ける位置を工夫することで、他人とは違いのある自分だけの独自性を備えたランドセルにすることができる。また、被せ蓋貫通孔の少なくとも内周壁を弾性材料によって構成しており被せ蓋貫通孔が外方に向けて広がるので、装飾体の軸を被せ蓋貫通孔に容易に挿入可能となる。また被せ蓋貫通孔よりも径の小さい軸を備える装飾体はもとより、径の比較的大きい軸を備える装飾体も被せ蓋貫通孔を介して被せ蓋に取り付けることができる。
【発明の効果】
【００１２】
本発明は、以上説明した構成であるから、使用者が装飾性を向上させる種々の装飾体を容易に着脱自在であり、使用者が自身の好みに応じて外観を容易に変更して、独自性を付与することが可能なランドセルカバー及びランドセルを提供することができる。
【図面の簡単な説明】
【００１３】
【図１】本発明の第１実施形態に係るランドセルカバーを取り付けたランドセルの斜視図。
【図２】同ランドセルカバーを、ランドセルから取り外した状態で示す斜視図。
【図３】同ランドセルカバーの正面図。
【図４】同ランドセルカバーの背面図。
【図５】同ランドセルカバーの作製方法を説明するための要部分解正面図。
【図６】同ランドセルカバーの作製途中の状態を示す正面図。
【図７】同ランドセルカバーの作製途中の状態を示す背面図。
【図８】同ランドセルカバーへの装飾体の取り付け方を説明するための要部拡大斜視図。
【図９】ランドセルへの同ランドセルカバーの取り付け方を説明するための斜視図。
【図１０】同ランドセルカバーの変形例を示す正面図。
【図１１】本発明の第２実施形態に係るランドセルの斜視図。
【発明を実施するための形態】
【００１４】
＜第１実施形態＞
以下、本発明の第１実施形態のランドセルカバー２０を、図面を参照して説明する。
【００１５】
図１に示すように、本実施形態のランドセルカバー２０には、装飾体９０を着脱自在なカバー本体貫通孔としてのボタンホール８０が複数形成されており、このボタンホール８０を介して装飾体９０を取り付けたランドセルカバー２０を、ランドセル１の被せ蓋７に取り付けている。
【００１６】
ランドセル１は、図１，２に示すように、上方に開口した開口部３を有するランドセル本体２、ランドセル本体２の開口部３を開閉可能にする被せ蓋７、及びランドセル１を背負ったときに使用者の背中が接するランドセル本体２の背板部２ａと開口部３の反対側に位置する底面部２ｄとに接続された一対の肩ベルト１０，１０を備えるものである。
【００１７】
前記被せ蓋７は、表皮７ｘ（図２参照）、裏皮７ｙ（図９参照）、及び表皮７ｘと裏皮７ｙとで挟まれた図示しないクッション材等からなる多重構造体であり、表皮７ｘ及び裏皮７ｙは皮革又は合成皮革、クッション材は発泡樹脂等からなる。被せ蓋７は、図９に示すように基端７ａがランドセル本体２の背板部２ａの上端部２ｅに接続させており、開口部３の上方を通ってランドセル本体２の正面部２ｃに当接するように垂れ下がり、基端７ａとは反対側の端部である自由端７ｂが連結部６及び図示しない被連結部を介してランドセル本体２の底面部２ｄに着脱可能に係止される。
【００１８】
図９に示すように、ランドセル本体２の背板部２ａの上端部２ｅ中央には背環９が固定されており、一対の肩ベルト１０の上端部が背環９を介して背板部２ａに固定されている。また背環９には、ランドセル１を壁や机に設けたピン等に掛けて吊すことが可能な、上方に突出した掛け金具８が固定されている。一対の肩ベルト１０の下端部は、ランドセル本体２の底面部２ｄに左右方向に互いに離間して固定されている。前記被連結部は、被せ蓋７を係止可能なものであり、前記底面部２ｄにおいて一対の肩ベルト１０の固定位置の間に設けられており、被連結部の中央部には回転可能な矩形状の図示しない摘体が固定されている。他方、連結部６は、一端６ａが被せ蓋７の自由端７ｂにその先端縁から若干の基端７ａよりに固定されており、他端６ｂには先端部材５が固定されている。先端部材５は被連結部に固定されている摘体と係合可能な矩形状の係合孔５ａを有する。係合孔５ａに前記摘体が挿通され、摘体が係合孔５ａと交差する状態に回動されることによって被連結部に先端部材５が保持される。また、摘体が係合孔５ａに沿う状態に回動され、係合孔５ａから摘体が抜き取られることによって、被連結部から先端部材５が取り外される。
【００１９】
図３，４に示すように、前記ランドセルカバー２０は、被せ蓋７の全ての外面Ｓ３を被覆するシート状のもので、ランドセル１の被せ蓋７に対応する形状であって被せ蓋７の幅寸法よりも若干幅広の寸法を有し、長手方向の長さが被せ蓋７よりも若干長い矩形状のランドセルカバー本体３０と、ランドセルカバー本体３０の一端３０ａから延び、肩ベルト１０，１０の上端と係合可能な連結固定部７０とを備える。また、ランドセルカバー本体３０の一端３０ａの中央には、前記掛け金具８に引っ掛けることが可能な補助ゴム４０が固定されている。
【００２０】
図３，４に示すように、ランドセルカバー本体３０には、装飾体９０を取り付けることができるボタンホール８０が１又は複数（本実施形態では４つ）形成されている。ボタンホール８０は、ランドセルカバー本体３０の外面Ｓ１側と内面Ｓ２側とを貫通するものであり、ランドセルカバー本体３０に形成されているシート貫通孔２１（図６参照）に挿通されるようにして設けられている鳩目部材８１の略中央にある鳩目穴８０によって構成されるものである。鳩目部材８１は、図８に示すように、平面視円形の筒状部８１ａと、筒状部８１ａの外周縁から外方に延びるフランジ部８１ｂと、筒状部８１ａ及びフランジ部８１ｂとは別部材からなるリング状のキャップ部８１ｃ（図７参照）とを含むものであり、筒状部８１ａのフランジ部８１ｂ側に鳩目穴８０に沿って形成された突起部８１ｄを有する。鳩目部材８１は、装飾体９０の軸部９０ｃ（図８参照）を挿通させる際に鳩目穴８０、すなわちボタンホール８０が外方に向けて広がるよう、ボタンホール８０の内周壁８０ｘ（図８参照）が弾性材料によって構成されており、本実施形態では鳩目部材８１全体が弾性材料である塩化ビニル製の樹脂材料からなる。なお、鳩目部材８１としては、鳩目穴８０が平面視円形のものに限定されず三角形や矩形状等の多角形のものを用いてもよい。
【００２１】
図４に示すように、ランドセルカバー本体３０は、ランドセルカバー２０を取り付けた際に被せ蓋７と当接する面である一方の面（ランドセルカバー２０の内面）Ｓ２の他端３０ｂに、被せ蓋７の自由端７ｂを挿入するための裏下ベルト５０を備える。裏下ベルト５０は、ランドセルカバー本体３０の幅寸法と略対応する幅寸法を有し、ランドセルカバー本体３０をその他端３０ｂ先端から長手方向に向かってランドセルカバー本体３０の３分の１程度の位置まで覆っている。裏下ベルト５０の一端５０ａは、その幅方向略全体に亘って開放されており、裏下ベルト５０の両端及び他端５０ｂの縁部は、ランドセルカバー本体３０に固定されている。裏下ベルト５０の中央よりも他端５０ｂ寄りの位置には、被せ蓋７の自由端７ｂに固定された連結部６（図９参照）を挿通可能な連結部挿通孔５１が形成されており、連結部挿通孔５１は、連結部６の最も幅広な部分の寸法よりも若干広く幅方向に伸びて矩形状に開口している。連結部挿通孔５１は、裏下ベルト５０の他端５０ｂ側の先端縁と、連結部挿通孔５１の他端５０ｂ側の縁部５１ａとの間に所定の間隔を有するように形成されており、この部分に被せ蓋７の自由端７ｂが挿入される。ランドセルカバー本体３０はまた、一方の面Ｓ２の一端３０ａ側に、ランドセルカバー本体３０の幅寸法と略対応する幅寸法を有し、両端部がランドセルカバー本体３０に固定された裏上ベルト６０を有する。
【００２２】
図３，４に示すように、ランドセルカバー本体３０は、その内部に絵柄が印刷された絵柄シート３３を収容しており、ランドセルカバー本体３０を構成する素材が透明であるため、前記一方の面Ｓ２と反対側の他方の面（ランドセルカバー本体３０の外面）Ｓ１から絵柄シート３３の絵柄が透けて見えるようになっている。
【００２３】
図３，４に示すように、連結固定部７０は、ランドセルカバー本体３０の一端３０ａの両端からそれぞれ延びる第１連結片７１及び第２連結片７２からなる。第１連結片７１は、ランドセルカバー本体３０の一端３０ａから延びる湾曲部７１ａと湾曲部７１ａから第２連結片７２に向かってランドセルカバー本体３０の一端３０ａと平行に延びる平行部７１ｂとからなり、平行部７１ｂには先端にスナップボタン７３ａが取り付けられたスナップ部分後付パーツ７１ｃが固定されている。第２連結片７２は、ランドセルカバー本体３０の一端３０ａから延びる湾曲部７２ａと湾曲部７２ａから第１連結片７１に向かってランドセルカバー本体３０の一端３０ａと平行に延びる平行部７２ｂとからなり、平行部７２ｂの先端にはスナップボタン７３ｂが取り付けられている。スナップボタン７３ａ，７３ｂは、連結固定部７０の幅方向の略中央で互いに係止され、係止されることで、ランドセルカバー本体３０の一端３０ａの縁部２０ａと当該縁部２０ａに連続する、第１連結片７１及び第２連結片７２の内周縁７１ｘ，７２ｘによって肩ベルト係止孔７４が形成される。
【００２４】
このようなランドセルカバー本体３０の作製方法では、まず、ランドセルカバー本体３０よりも若干小さい矩形状のポリエステル製の生地にインクジェット印刷で絵柄を印刷し、その生地に１又は複数（本実施形態では４つ）の絵柄シート側貫通孔３４を形成して図５に示す絵柄シート３３を作製する一方、透明な塩化ビニル製の生地を裁断して図５に示す同一形状の外側シート３１及び内側シート３２を作製する。外側シート３１及び内側シート３２は、ランドセルカバー本体３０及び連結固定部７０（図３，４参照）となるものであり、これらに対応した形状である。
【００２５】
次に、絵柄シート３３を、絵柄が印刷されている面が外側シート３１に当接するように外側シート３１と内側シート３２との間に挟んで重ね合わせ、これらのシート３１，３２の縁部３１ｘ、３２ｘを溶着して絵柄シート３３を封入する（図６）。重ね合わせる際、絵柄シート３３の下端が、外側シート３１及び内側シート３２の下端と略揃うようにしておく。
【００２６】
溶着させた外側シート３１及び内側シート３２に、絵柄シート側貫通孔３４に対応する位置にそれよりも径の小さいシート貫通孔２１を形成し、このシート貫通孔２１に前記鳩目部材８１を取り付ける（図７参照）とともに、補助ゴム４０を取り付ける位置に補助ゴム用貫通孔４０ａを形成する。鳩目部材８１の具体的な取り付け方法としては、鳩目部材８１の筒状部８１ａを外側シート３１側からシート貫通孔２１に挿通させてフランジ部８１ｂをシート貫通孔２１に当接させる。その後、内側シート３２から突出している筒状部８１ａにリング状のキャップ部８１ｃを嵌め込み、キャップ部８１ｃを内側シート３２に当接させる。フランジ部８１ｂとキャップ部８１ｃとで外側シート３１及び内側シート３２を挟み込み、厚さ方向へ所定の押圧力を加えた状態で熱を加えて外側シート３１及び内側シート３２に対して鳩目部材８１を溶着させ、取り付ける。なお、鳩目部材８１は、シート貫通孔２１に挿通させた筒状部８１ａの先端部をかしめることで取り付けられてもよく、また、キャップ部８１ｃを含まないものを用いてもよい。なお、絵柄シート側貫通孔３４の径は、鳩目部材８１のフランジ部８１ｂの外径よりも大きく構成されているので、ボタンホール８０に装飾体９０の軸部９０ｃ（図８参照）を挿通する際に絵柄シート３３の絵柄シート側貫通孔３４周辺が引っ張られにくくなり破れやほつれ等を発生しにくくすることが可能である。
【００２７】
内側シート３２の絵柄シート３３と反対側の面に前記裏下ベルト５０及び前記裏上ベルト６０を重ね合わせ、裏下ベルト５０の両端並びに他端５０ｂの縁部、裏上ベルト６０の両端を内側シート３２に溶着させる。なお、裏下ベルト５０及び裏上ベルト６０は、外側シート３１と同一素材であり、外側シート３１と同様に透明な塩化ビニル製のシート状のものである。一方、補助ベルト４０を補助ゴム用貫通孔４０ａ及び金属製の鳩目部材４０ｂを介して外側シート３１及び内側シート３２にかしめて固定するとともに、第１連結片７１の平行部７１ｂに、スナップボタン７３ａが取り付けられているスナップ部分後付パーツ７１ｃを溶着し、第２連結片７２の平行部７２ｂの先端にスナップボタン７３ｂを固定する。これらの工程を経ることで、ランドセルカバー２０が作製される。
【００２８】
装飾体９０は、図８に示すように、装飾体９０がランドセルカバー２０に取り付けられた状態でランドセルカバー２０の外面Ｓ１側に位置する表面部９０ａと、前記状態でランドセルカバー２０の内面Ｓ２側に位置する裏面部９０ｂと、表面部９０ａと裏面部９０ｂとの間に設けられ、ボタンホール８０を挿通可能に設けられている軸部９０ｃと、表面部９０ａの裏面部９０ｂと反対側に固定された装飾部材９１とを有する。
【００２９】
表面部９０ａ及び裏面部９０ｂは、略円板形状であり、表面部９０ａの径はボタンホール８０と略同一であり、裏面部９０ｂの径はボタンホール８０よりも大きいものである。裏面部９０ｂは、その径が表面部９０ａよりも大きく、ボタンホール８０が外方に広がることでランドセルカバー２０の外面Ｓ１側から内面Ｓ２側に向かって通過可能であり、ボタンホール８０の通過後に、鳩目部材８１のフランジ部８１ｂ及びランドセルカバー２０の内面Ｓ２側の少なくともいずれかと係合する。ボタンホール８０は裏面部９０ｂが通過した後は元の径に戻り、裏面部９０ｂは、裏面部９０ｂが通過後のボタンホール８０よりも大きな径を有するようになることから、装飾体９０の抜け止めとして機能する。軸部９０ｃは、本実施形態ではボタンホール８０よりも小さい径を有し、ランドセルカバー本体３０の厚さと略対応する長さを有する円柱状のものであるが、ボタンホール８０の径よりも大きい径を有するものを用いた場合には、軸部も装飾体の抜け止めとして機能するようになる。表面部９０ａ、裏面部９０ｂ及び軸部９０ｃは、例えば樹脂、ゴム及び金属等で形成されている。装飾部材９１は、表面部９０ａよりも大きいものであり、図８，１０に示すような、リボン形、花形、ハート形、星形等の任意の装飾的な形状のものである。また、装飾部材９１は、装飾性に加えて児童の登下校時の安全性の面も考慮して、反射機能や発光機能を有するものとしてもよい。
【００３０】
以上のように構成されるランドセルカバー２０に、ボタンホール８０を外方に広げながら装飾体９０の裏面部９０ｂを通過させ軸部９０ｃを挿入させて装飾体９０を取り付けた後、そのランドセルカバー２０をランドセル１の被せ蓋７に取り付ける。ランドセルカバー２０の被せ蓋７への具体的な取り付け方法としては、図９に示すように、被せ蓋７を連結部６の先端部材５から順に一端３０ａから他端３０ｂに向かって裏上ベルト６０の内側を通過させ、続いて裏下ベルト５０の一端５０ａから挿入した先端部材５及び連結部６を連結部挿通孔５１から外方へ通過させて、被せ蓋７の自由端７ｂ側を裏下ベルト５０内に差し込む。その後、図９に示すようにランドセルカバー２０における連結固定部７０の第１連結片７１及び第２連結片７２を外側に広げ、それらの連結片７１，７２を肩ベルト１０，１０の上端に回り込ませてからスナップボタン７３ａ，７３ｂで固定し、補助ゴム４０を前記留め金具８に引っ掛けることで、被せ蓋７にランドセルカバー２０を取り付けることができる。
【００３１】
以上のように、本実施形態のランドセルカバー２０は、開口部３を有するランドセル本体２の当該開口部３を開閉するための被せ蓋７に取り付けられ、その一部を構成するランドセルカバー本体３０により被せ蓋７の外面Ｓ１全体を被覆するランドセルカバー２０であって、ランドセルカバー本体３０に厚さ方向に貫通するカバー本体貫通孔としてのボタンホール８０を４つ形成するとともに、ボタンホール８０の内周壁８０ｘを弾性材料によって構成し、ランドセルカバー本体３０の厚さ方向に延びる軸部９０ｃと当該軸部９０ｃの一端に固定された装飾部材９１とを含む装飾体９０を、当該ボタンホール８０を介して着脱自在となるように構成したものである。
【００３２】
このような構成であるので、汚れ、傷や雨水からランドセル１を保護する機能を有するとともに、装飾体９０の軸部９０ｃをボタンホール８０に挿入して装飾体９０をランドセルカバー２０に取り付け、そのランドセルカバー２０で被せ蓋７を覆うことで、ランドセル１の外観を容易に変更することができ、取り付ける装飾体９０のデザインや取り付ける位置を工夫することで、他人とは違いのある自分だけの独自性を備えたランドセル１にすることができる。このようなランドセルカバー２０は、ランドセルカバーの新たな販売促進のサービスとして展開することができるものである。また、ボタンホール８０の内周壁８０ｘを弾性材料によって構成しておりボタンホール８０が外方に向けて広がるので、装飾体９０の軸部９０ｃをボタンホール８０に容易に挿入可能となる。またボタンホール８０よりも径の大きい軸部を含む装飾体をボタンホール８０に挿入させることが可能となり、径の比較的小さい軸部９０ｃを備える装飾体９０はもとより、径の比較的大きい軸部を備える装飾体もボタンホール８０を介してランドセルカバー２０に取り付けることができる。また、弾性材料からなる軸部を備える装飾体であれば、より径の大きい軸部を備えるものであってもボタンホール８０を介してランドセルカバー２０に取り付けることができる。さらに、反射機能や発光機能を有する装飾体を取り付けることによって、装飾性の面に加えて安全性の面も考慮したランドセル１とすることができる。
【００３３】
また、特に径の比較的大きい軸部を備える装飾体をボタンホール８０に挿入させる際には、ランドセルカバー本体３０におけるボタンホール８０近傍の部分に引っ張ったり曲げたりする力が作用するが、ランドセルカバー本体３０は塩化ビニル製の外側シート３１及び内側シート３２によって構成されているので、上記のような力が作用しても破損しにくく、装飾体の軸部も挿通し易い。さらに、ランドセルカバー本体３０の内部に収容された絵柄シート３３は、絵柄シート側貫通孔３４の径がボタンホール８０よりも大きいので、絵柄シート側貫通孔３４近傍に上記のような力が作用しにくく、破れやほつれが抑制される。
【００３４】
さらに、外側シート３１及び内側シート３２が塩化ビニル製なので、防水効果が高く且つ汚れ等を容易に拭き取ることが可能なランドセルカバー２０とすることができる。このような塩化ビニル製の外側シート３１及び内側シート３２自体には絵柄等がきれいに表示されるよう印刷することが困難であるが、絵柄シート３３を外側シート３１と内側シート３２との間に挟み込み、絵柄シート３３の絵柄が外側シート３１から透けて見えるようにすることで、絵柄がきれいに表示されたランドセルカバー２０にすることができる。
【００３５】
＜第２実施形態＞
本発明の第２実施形態であるランドセル１００は、前述のランドセル１とほぼ同様の構成であり、ランドセル１とは、図１１に示すように被せ蓋１０１の構成が異なる。被せ蓋１０１には、前述のランドセルカバー２０と同様に被せ蓋貫通孔としてのボタンホール１０２が形成されており、ボタンホール１０２を介して前記装飾体９０を被せ蓋１０１に取り付けることができる。ランドセル１００の被せ蓋１０１には、その外側Ｓ３から内側Ｓ４に向かって厚さ方向に貫通する１又は複数（本実施形態では４つ）のランドセル貫通孔１０３が形成されており、そのランドセル貫通孔１０３に挿通するように弾性材料からなる鳩目部材８１が設けられている。ボタンホール１０２は、鳩目部材８１の鳩目穴１０２によって構成される。鳩目部材８１が弾性材料からなることから、ボタンホール１０２の内周壁１０２ｘを弾性材料によって構成することができ、このボタンホール１０２を外方に広げつつ、装飾体９０の軸部９０ｃを挿通させることで、ボタンホール１０２を介して被せ蓋１０１に装飾体９０を取り付けることができる。
【００３６】
また、被せ蓋１０１全体を、前述のような皮革等ではなく弾性材料であるエチレン酢酸ビニル共重合樹脂（ＥＶＡ樹脂）等の樹脂やゴム等で構成し、このような被せ蓋に前記ランドセル貫通孔１０３と実質的に同一構成のランドセル貫通孔を形成して、鳩目部材８１を設けることなく当該ランドセル貫通孔をボタンホールとして利用することも可能である。このような構成であってもボタンホールの内周壁を弾性材料によって構成することができ、このボタンホールを外方に広げつつ、装飾体９０の軸部９０ｃを挿通させることで、ボタンホールを介して被せ蓋に装飾体９０を取り付けることができる。被せ蓋１０１全体を発泡樹脂により形成すると、弾性の付与に加えて軽量化を行うこともでき、なお好ましい。
【００３７】
以上のように、本実施形態のランドセル１００は、開口部３を有するランドセル本体２と、前記開口部３を開閉するための被せ蓋１０１とを有し、被せ蓋１０１に厚さ方向に貫通する被せ蓋貫通孔としてのボタンホール１０２を４つ形成するとともに、当該ボタンホール１０２の内周壁１０２ｘを弾性材料によって構成し、被せ蓋１０１の厚さ方向に延びる軸部９０ｃと当該軸部９０ｃの一端に固定された装飾部材９１とを含む装飾体９０を、当該ボタンホール１０２を介して着脱自在となるように構成したものである。
【００３８】
このような構成であるので、装飾体９０の軸部９０ｃをボタンホール１０２に挿入して装飾体９０を被せ蓋１０１に取り付けることで、ランドセル１００の外観を容易に変更することができ、取り付ける装飾体９０のデザインや取り付ける位置を工夫することで、他人とは違いのある自分だけの独自性を備えたランドセル１００にすることができる。このようなランドセル１００は、ランドセルの新たな販売促進のサービスとして展開することができるものである。また、ボタンホール１０２の内周壁１０２ｘを弾性材料によって構成しておりボタンホール１０２が外方に向けて広がるので、装飾体９０の軸部９０ｃをボタンホール１０２に容易に挿入可能となる。また径の比較的小さい軸部９０ｃを備える装飾体９０はもとより、径の比較的大きい軸部を備える装飾体もボタンホール１０２を介して被せ蓋１０１に取り付けることができる。さらに、反射機能や発光機能を有する装飾体を取り付けることによって、装飾性の面に加えて安全性の面も考慮したランドセル１００とすることができる。
【００３９】
なお、各部の具体的な構成は、上述した実施形態のみに限定されるものではなく、本発明の趣旨を逸脱しない範囲で種々変形が可能である。
【００４０】
例えば、上述の第１実施形態では、外側シート３１及び内側シート３２として透明な素材を用いているが、内側シート３２として不透明な素材を用いてもよい。また、絵柄シート３３の絵柄は図３等に示すドット柄に限定されず、例えば図１０に示すランドセルカバー２０Ａ，２０Ｂのような、チェック柄、ボーダー柄等の絵柄であってもよい。また、絵柄シート３３を用いず、外側シート３１及び内側シート３２に直接絵柄がプリントされていてもよい。
【００４１】
また、上述の第１実施形態において、ランドセルカバー２０は被せ蓋７の外面Ｓ３全体を被覆するものとしていたが、被せ蓋７の外面Ｓ３の一部のみを被覆するようなものであってもよい。
【００４２】
さらに、上述の実施形態で用いていたハート形の装飾部材９１を備える装飾体９０以外にも、図１０に示すように、星形の装飾部材９１を備える装飾体９３、リボン形の装飾部材９１を備える装飾体９４、花形の装飾部材９１を備える装飾体９５、ハート形の装飾部材９１に装飾品が取り付けられた装飾体９２等を組み合わせて用いることで、より独自性のあるデザインのランドセル１（１００）にすることができる。また、鳩目部材８１が弾性材料からなるので、裏面部９０ｂを備えず、ボタンホール８０（１０２）よりも径が若干大きい軸部を備えるような装飾体であっても好適に取りつけることができる。
【００４３】
また、鳩目部材８１は、弾性を有する材料であればゴム等で構成されていてもよく、少なくとも筒状部８１ａが弾性材料で構成されていれば鳩目穴８０が外方に向けて広がることが可能であることから、筒状部８１ａと、フランジ部８１ｂ及びキャップ部８１ｃとが異なる材料で構成されていてもよい。
【００４４】
本実施形態では、ランドセルカバー２０（ランドセル１００）にはボタンホール８０（ボタンホール１０２）が４つ形成されているが、図１０に示すように、絵柄シート３３の絵柄や使用者の要望に応じて１〜３個又は４個以上任意の位置に形成されてもよい。
【００４５】
また、アクセサリー９０として、裏面部９０ｂが弾性材料からなるものを用いてもよく、そうすることで一層容易にアクセサリー９０をボタンホール８０（ボタンホール１０２）に取り付けることができる。
【符号の説明】
【００４６】
２・・・ランドセル本体
３・・・開口部
７，１０１・・・被せ蓋
２０・・・ランドセルカバー
３０・・・ランドセルカバー本体
８０，１０２・・・ボタンホール
９０・・・装飾体
９０ｃ・・・軸部
９１・・・装飾部材
１００・・・ランドセル
Ｓ３・・・外面
【図１】
2014128375.tif 000003
【図２】
2014128375.tif 000004
【図３】
2014128375.tif 000005
【図４】
2014128375.tif 000006
【図５】
2014128375.tif 000007
【図６】
2014128375.tif 000008
【図７】
2014128375.tif 000009
【図８】
2014128375.tif 000010
【図９】
2014128375.tif 000011
【図１０】
2014128375.tif 000012
【図１１】
2014128375.tif 000013